(57)【要約】【課題】  防水パンの接続部分の強度を高めて防水パンと他の部品との接続を簡単化、迅速化し、作業者の熟練度に左右されることなく一定の接続品質を維持でき、また嵌合等の接続手段を採り易く、堅固に接続できるようにする。【解決手段】  軟質材で形成した深底形の防水パン１を備えた浴室ユニットにおいて、防水パン１の、浴槽２その他の部材との接続箇所１ｂを、硬質状に形成する。この場合、本発明は、防水パン１の接続箇所１ｂと、この接続箇所１ｂに接合する浴槽２その他の部材の接続部６とを挟み付けて固定するクリップ部材５を備えて形成するのが好ましい。【選択図】      図１
2009185481.tif 000002
【特許請求の範囲】
【請求項１】
浴槽載置用の防水パンと、この防水パンに載置される浴槽と、この浴槽の洗い場に面する前面を覆うエプロン部材と、また浴槽を支持するため防水パンの下側に設けられる支持部材とを備え、上記の防水パンが軟質材で形成されると共に、洗い場側以外の周囲の囲い壁が浴槽とほぼ同じ高さに形成され、この防水パンの囲い壁の上部と上記の浴槽のフランジ部とが接続される浴室ユニットであって、上記の防水パンの、浴槽その他の部材との接続箇所が、硬質状に形成されていることを特徴とする浴室ユニット。
【請求項２】
請求項１記載の浴室ユニットであって、防水パンの接続箇所と、この接続箇所に接合される浴槽その他の部材の接続部とを挟み付けて固定するクリップ部材を備えて形成されていることを特徴とする浴室ユニット。
【請求項３】
請求項１又は２記載の浴室ユニットであって、支持部材が浴槽の脚の真下に設けられ、防水パンの底面に、支持部材と嵌合する嵌合部が形成されていることを特徴とする浴室ユニット。
【請求項４】
請求項３記載の浴室ユニットであって、嵌合部が、防水パンの底面から突き上げられて凸段差状に形成され、この凸段差状の嵌合部に嵌合する凹段差部が浴槽の脚の下端に形成されていることを特徴とする浴室ユニット。
【請求項５】
請求項１乃至４の何れかに記載の浴室ユニットであって、浴槽の排水口に対応する防水パンの底面位置に、浴槽の排水口と連通する排水孔が形成され、この排水孔の周囲が硬質状に形成されていることを特徴とする浴室ユニット。
【請求項６】
請求項５記載の浴室ユニットであって、排水孔の周囲が硬質状に形成されているのに代え、弾性質に形成されていることを特徴とする浴室ユニット。
【請求項７】
請求項６記載の浴室ユニットであって、排水孔の周囲が上側に折り返され、浴槽の排水口の周縁部が挟み込み可能に形成されていることを特徴とする浴室ユニット。
【発明の詳細な説明】
【技術分野】
【０００１】
本発明は、浴室ユニットに関し、更に詳しくは樹脂シート等の軟質材で深底形に形成された浴槽載置用の防水パンを備えてなる浴室ユニットに関するものである。
【背景技術】
【０００２】
従来この種の浴室ユニットとしては、例えば本出願人の提案に係る特許文献１に記載されている発明がある。
この従来品は、浴槽載置用の防水パンと、この防水パンに載置される浴槽と、この浴槽を支持するため防水パンの下側に設けられる支持部材とを備え、上記の防水パンが軟質材で形成されると共に、その周囲の洗い場側以外の囲い壁が浴槽とほぼ同じ高さに形成され、この防水パンの囲い壁の上部と上記の浴槽のフランジ部とが接続され、上記の支持部材が浴槽の脚の真下に設けられているものである。
【０００３】
ところでこの種の浴室ユニットは、深底形の防水パンによって浴槽周りに発生する臭気の散逸を防止でき、浴槽の湯を保温できるという利点がある。また防水パンが軟質材で形成されている場合、これによると施工時等に衝撃を受けても壊れ難く、樹脂シート等の軟質材によれば、防水パンの軽量化、低コスト化、施工の容易化を、一層、図ることができるものである。
しかしながら従来品は、防水パンの全体が軟質状に形成されていたため、例えば浴槽のフランジ部に接着するとき貼り合せ皺ができるなど、接続状態が作業者の熟練度に左右され、整然と且つ一定の品質で接続できない、という問題点があった。
また従来品の場合は、上記の通り、防水パンの接続部分を含めて全体が軟質のため、接続部分の強度が低く、接着以外の、例えば嵌合等の接続手段を採りにくく、接続手段が限られ、堅固に接続できない、という問題点があった。
【特許文献１】特開２００７−９２３４６号公報
【発明の開示】
【発明が解決しようとする課題】
【０００４】
本発明は、このような従来品の問題点に鑑み、提案されたものである。
従って本発明の解決しようとする技術的課題は、軟質材で形成された深底形の防水パンを備えた浴室ユニットにおいて、防水パンの接続部分の強度を高めて防水パンと他の部品との接続を簡単化、迅速化でき、作業者の熟練度に左右されることなく一定の接続品質を維持でき、また嵌合等の接続手段を採り易く、堅固に接続できるよう形成した浴室ユニットを提供することにある。
【課題を解決するための手段】
【０００５】
本発明は、上記の課題を解決するため、次のような技術的手段を採る。
即ち本発明は、図１等に示されるように、浴槽載置用の防水パン１と、この防水パン１に載置される浴槽２と、この浴槽２の洗い場に面する前面を覆うエプロン部材３と、また浴槽２を支持するため防水パン１の下側に設けられる支持部材４とを備え、上記の防水パン１が軟質材で形成されると共に、洗い場側以外の周囲の囲い壁１ａが浴槽２とほぼ同じ高さに形成され、この防水パン１の囲い壁１ａの上部と上記の浴槽２のフランジ部２ａとが接続される浴室ユニットであって、上記の防水パン１の、浴槽２その他の部材との接続箇所１ｂが、硬質状に形成されていることを特徴とする（請求項１）。
【０００６】
ここで、軟質材としては、例えば樹脂シートやゴムシート等の変形可能なシート材や板材がある。本発明の場合、この軟質材には、弾性を有する場合も含まれる。また浴槽２その他の部材とは、具体的には浴槽２のほか、例えばエプロン部材３、洗い場パン１５、浴槽２の四隅位置などに立てられる柱などの構造材１４がある。また防水パン１の硬質状の接続箇所１ｂは、具体的には防水パン１の成形時に一体成形法で形成したり、或いは板状の別部材を後加工により固着することで実現される。
【０００７】
而して本発明は、図３に示されるように、防水パン１の接続箇所１ｂと、この接続箇所１ｂに接合される浴槽２その他の部材の接続部６とを挟み付けて固定するクリップ部材５を備えて形成されているのが好ましい（請求項２）。
なぜならこれによると、クリップ部材５によって防水パン１と浴槽２等とを簡単、迅速に接続でき、また例えばリフォーム時に解体するときも楽に分解できるからである。
【０００８】
また本発明は、図１、図５に示されるように、支持部材４が浴槽２の脚２ｃの真下に設けられ、防水パン１の底面に、支持部材４と嵌合する嵌合部８が形成されているのが好ましい（請求項３）。
なぜならこれによると、支持部材４を嵌合部８に嵌合させて防水パン１に取り付けることができ、振動や衝撃が防水パン１等に加えられても支持部材４の位置ずれを防止できるからである。またこの場合は、支持部材４の位置決めの手間暇を一掃でき、設置作業を容易化できるからである。本発明の場合、嵌合部８は、具体的には底面の所定位置が硬質状に一体成形されたり、或いは別部材が取り付けられることで実現される。
【０００９】
またこの場合は、図５に示されるように、嵌合部８が、防水パン１の底面から突き上げられて凸段差状に形成され、この凸段差状の嵌合部８に嵌合する凹段差部９が浴槽２の脚２ｃの下端に形成されているのが好ましい（請求項４）。
なぜならこれによると、浴槽２が脚２ｃを介して支持部材４と一体化し、位置ずれを防止できるからである。また嵌合部８が凸段差状に突き出ているため、作業者が浴槽２の脚２ｃの配置位置を容易に知ることができ、例えばレベル調整用のスペーサーを挿入することが容易になるからである。
【００１０】
また請求項１乃至４の何れかに記載の本発明は、浴槽２の排水口２ｄに対応する防水パン１の底面位置に、浴槽２の排水口２ｄと連通する排水孔１ｃが形成され、この排水孔１ｃの周囲１ｄが硬質状に形成されているのが好ましい（請求項５）。
なぜならこれによると、浴槽２の排水口２ｄと防水パン１の排水孔１ｃを合わせて浴槽２と防水パン１とを接続するとき、排水孔１ｃの周囲１ｄに環状のパッキン１１をあてがい易くなり、接続作業を容易化できるからである。
【００１１】
またこの場合、本発明は、排水孔１ｃの周囲１ｄが硬質状に形成されているのに代え、弾性質に形成されているのでも良い（請求項６）。
なぜならこれによると、浴槽２の排水口２ｄに防水パン１の排水孔１ｃを合わせて締め付けたとき、排水孔１ｃの周囲１ｄがパッキンとして機能するため、専用のパッキン１１を省略でき、その分、接続作業の容易化や部品コストの低廉化を図ることができるからである。
【００１２】
またこの場合、本発明は、図７に示されるように、排水孔１ｃの周囲１ｄが上側に折り返され、浴槽２の排水口２ｄの周縁部が挟み込み可能に形成されているのが好ましい（請求項７）。
なぜならこれによると、一層、水密状に浴槽２と防水パン１とを接続できるからである。
【発明の効果】
【００１３】
本発明は、このように防水パンの、浴槽その他の部材との接続箇所が、硬質状に形成されているものである。
従って本発明の場合は、防水パンの接続箇所の強度が高くなり、接続作業時に防水パンの取り扱いが容易になる。それ故これによれば、防水パンと他の部材との接続を、簡単化、迅速化でき、また作業者の熟練度に左右されることなく、一定の品質で安定的に且つ堅固に接続でき、嵌合等の接続手段も採り易くなるものである。
【発明を実施するための最良の形態】
【００１４】
以下、本発明を実施するための最良の形態を説明する。
本発明は、図１等に示されるように、浴槽載置用の防水パン１と、この防水パン１に載置される浴槽２と、この浴槽２の洗い場に面する前面を覆うエプロン部材３と、また浴槽２を支持するため防水パン１の下側に設けられる支持部材４とを備えて形成されている。浴槽２は、この実施形態では平面視で長方形に形成され、洗い場側以外の三方のフランジ部２ａの外周位置が立ち上げられ、立ち上げ片２ｂを備えて形成されている。
【００１５】
上記の防水パン１は、この実施形態では軟質樹脂で薄肉状に形成されている。またこの防水パン１の、洗い場側以外の周囲の囲い壁１ａは、板状に形成されると共に、浴槽２とほぼ同じ高さに形成されている。そして防水パン１は、浴槽２その他の部材との接続箇所１ｂが、一体成形により、硬質状に形成されている。
【００１６】
上記の支持部材４は、図５に示されるように、浴槽２の脚２ｃの真下に設けられ、この実施形態では平面視でコの字形に形成されている。本発明の場合、浴槽２と入浴者の体重や湯の重量は、浴槽２の脚２ｃを介して支持部材４で支持されるものである。
【００１７】
５（図３参照）は、防水パン１の接続箇所１ｂと、この接続箇所１ｂに接合される浴槽２その他の部材の接続部６とを挟み付けて固定するクリップ部材である。接続部６は、この実施形態では上記の立ち上げ片２ｂで構成されている。クリップ部材５は、図示されるように、この実施形態では浴槽２周りに連続するよう長尺状に形成されると共に、内方に収縮するバネ性を備えて断面略Ｒ字状に形成されている。この実施形態では、このクリップ部材５によって防水パン１の囲い壁１ａの上端部の接続箇所１ｂと、浴槽２のフランジ部２ａの立ち上げ片２ｂとが挟み付けられて固定されている。なお７は、シート状のパッキンである。
【００１８】
また防水パン１の底面には、図１、図５に示されるように、上記の支持部材４と嵌合する嵌合部８が平面視でコの字形に、底面の成形と同時に一体成形されている。この嵌合部８は、この実施形態では防水パン１の底面から突き上げられて凸段差状に、且つ硬質状に形成されている。またこの凸段差状の嵌合部８に嵌合する凹段差部９（図５参照）が、浴槽２の脚２ｃの下端に形成されている。
【００１９】
１０（図１、図５参照）は、防水パン１の底面に設けられている点検口部である。この点検口部１０は、蓋式に形成され、嵌合部８で囲まれた底面の位置に設けられている。この実施形態の場合、点検口部１０は、このように周囲より一段高い凸段差状の嵌合部８の内側に設けられているため、点検口部１０の水密性を維持し易いものである。
【００２０】
また防水パン１は、この実施形態では図６に示されるように、浴槽２の排水口２ｄに対応する底面位置に、排水口２ｄと連通する排水孔１ｃが形成されている。この排水孔１ｃの周囲１ｄは、この実施形態では硬質状に形成されている。１１は、環状のパッキンである。また１２は、鍔付きの上側排水部材、１３はこの上側排水部材１２が締め込まれる下側排水部材である。
【００２１】
次にこの実施形態に係る本発明品の施工例を説明する。
先ず作業者は、支持部材４を防水パン１の嵌合部８に嵌合し、防水パン１を浴室の所定位置に配置する。次に作業者は、防水パン１の嵌合部８に浴槽２の脚２ｃの凹段差部９を嵌合させ、浴槽２を防水パン１に載せる。そして浴槽２のフランジ部２ａの立ち上げ片２ｂと、防水パン１の囲い壁１ａの上端部の接続箇所１ｂとを、板状のパッキン７を介して接合し、クリップ部材５を上から被せて挟み付けて固定する。
また作業者は、図４に示されるように、防水パン１の周辺部の接続箇所１ｂを、浴槽２その他の部材としての柱等の構造材１４や、洗い場パン１５に接続する。この接続は、具体的には接着剤を使用したり、或いは防水パン１の接続箇所１ｂと構造材１４等とを嵌合することで行なわれる。
【００２２】
また作業者は、浴槽２の排水口２ｄと防水パン１の排水孔１ｃを合わせ、環状のパッキン１１を排水口２ｄと排水孔１ｃの周縁部に外装するよう挟み込む。この場合、本発明では、防水パン１が軟質性のため、排水口２ｄと排水孔１ｃの位置に多少の位置ずれがあっても、楽に調節を行なうことができる。そして作業者は、上側排水部材１２を下側排水部材１３に締め込み、防水パン１と浴槽２とを締め付けて固定する。
【００２３】
以上の処において、本発明は、排水孔１ｃの周囲１ｄが硬質状に形成されているのに代え、排水孔１ｃの周囲１ｄがパッキンとして機能するよう、弾性質に形成されているのでも良い。この場合は、図７に示されるように、排水孔１ｃの周囲１ｄが上側に折り返され、浴槽２の排水口２ｄの周縁部が挟み込み可能に形成されているのが好ましい。この場合は、上側排水部材１２を下側排水部材１３に締め込むと、排水孔１ｃの周囲１ｄがパッキンとして機能するため、上記の環状のパッキン１１を省略できるからである。
【００２４】
また本発明は、図８に示されるように、防水パン１の囲い壁１ａの上端部１ｅが、浴槽２のフランジ部２ａの外周部より高く、且つフランジ部２ａの周りに連続した状態で形成され、洗い場パン１５の側に突き出されているのでも良い。この場合は、囲い壁１ａの上端部１ｅが、水漏れ防止用の壁として機能し、水漏れしても洗い場パン１５に水を逃すことができ、浴槽２周りの水密性を一層向上できるものである。
【図面の簡単な説明】
【００２５】
【図１】本発明の浴室ユニットの好適な一実施形態を示す分解斜視図である。
【図２】同上浴室ユニットの組立て時の斜視図である。
【図３】防水パンと浴槽との接続状態を示す要部拡大斜視図である。
【図４】防水パンと他の部材との接続状態を示す要部拡大斜視図である。
【図５】同上浴室ユニットの要部拡大斜視図である。
【図６】同上浴室ユニットの要部拡大分解斜視図である。
【図７】同上浴室ユニットの他の実施形態を示す要部拡大分解斜視図である。
【図８】同上浴室ユニットの他の実施形態を示し、Ａは要部斜視図、Ｂは要部拡大斜視図である。
【符号の説明】
【００２６】
１      防水パン
１ａ    囲い壁
１ｂ    接続箇所
２      浴槽
２ａ    フランジ部
２ｃ    脚
３      エプロン部材
４      支持部材
【図１】
2009185481.tif 000003
【図２】
2009185481.tif 000004
【図３】
2009185481.tif 000005
【図４】
2009185481.tif 000006
【図５】
2009185481.tif 000007
【図６】
2009185481.tif 000008
【図７】
2009185481.tif 000009
【図８】
2009185481.tif 000010